(57)【要約】【課題】符号化処理と復号化処理との間の同期をより確実なものとして受信エラーを抑制することができる送受信システムを提供する。【解決手段】送受信システム１Ａは送信装置１０Ａおよび受信装置２０Ａを備える。送信装置１０Ａは、符号化部１１、シリアライザ１２および送信部１３を備える。受信装置２０Ａは、復号化部２１、デシリアライザ２２、受信部２３、エラー検出部２４及びリセット指示部２５を備える。符号化部１１は、符号化部１１の符号化処理と復号化部２１の復号化処理との間の同期を確立するための同期信号（符号復号同期信号）を符号化データとして定期的に送信部１３から受信装置２０Ａへ送信させる。符号化部１１は、リセット指示信号を受信装置２０Ａのリセット指示部２５から受け取ったときにも、符号復号同期信号を符号化データとして送信部１３から受信装置２０Ａへ送信させる。【選択図】図１
2013046364.tif 000002
【特許請求の範囲】
【請求項１】
受信装置へ送信すべきデータを符号化することにより符号化データを生成する符号化部と、
前記符号化データを前記受信装置へ送信する送信部と、
を備え、
前記符号化部が、前記符号化部の符号化処理と前記受信装置の復号化処理との間の同期を確立するための同期信号を符号化データとして定期的に前記送信部から前記受信装置へ送信させるとともに、前記受信装置において受信エラーが発生したとき前記符号化処理と復号化処理との同期を再確立するために前記同期信号を符号化データとして前記送信部から前記受信装置へ送信させる、ことを特徴とする送信装置。
【請求項２】
前記符号化部が、前記受信装置において受信エラーが発生したとき前記符号化処理と復号化処理との同期を再確立するために生成されるリセット指示信号を前記受信装置から受け取ったとき前記同期信号を符号化データとして前記送信部から前記受信装置へ送信させる、ことを特徴とする請求項１記載の送信装置。
【請求項３】
受信装置において受信エラーが発生したことを表す受信エラー検出信号を前記受信装置から受け取ったときに、前記符号化処理と復号化処理との同期を再確立するためのリセット指示信号を生成し、このリセット指示信号を前記符号化部に送信するリセット指示部を備え、
前記符号化部が、前記リセット指示信号を受け取ったときに前記同期信号を符号化データとして前記送信部から前記受信装置へ送信させる、
ことを特徴とする請求項１記載の送信装置。
【請求項４】
前記受信装置において受信エラーが発生したことを検出して受信エラー検出信号を生成し、この受信エラー検出信号を送信する受信エラー検出部と、
前記受信エラー検出信号を受け取ったときに、前記符号化処理と復号化処理との同期を再確立するためのリセット指示信号を生成し、このリセット指示信号を前記符号化部に送信するリセット指示部と、
を備え、
前記符号化部が、前記リセット指示信号を受け取ったときに、前記同期信号を符号化データとして前記送信部から前記受信装置へ送信させる、
ことを特徴とする請求項１記載の送信装置。
【請求項５】
前記受信装置から前記リセット指示信号として一定期間に亘ってレベルが繰返しトグルする信号を受け取り、このリセット指示信号のレベルに応じてデータ区切り信号のレベルを修正して、当該修正後データ区切り信号を出力するデータ区切り信号修正部を更に備え、
前記符号化部が、前記データ区切り信号修正部から前記修正後データ区切り信号を受け取ったときに、前記同期信号を符号化データとして前記送信部から前記受信装置へ送信させるとともに、前記修正後データ区切り信号をも符号化データとして前記送信部から前記受信装置へ送信させる、
ことを特徴とする請求項２記載の送信装置。
【請求項６】
送信装置から送信された符号化データを受信する受信部と、
前記受信部により受信された符号化データを復号化して元のデータを出力する復号化部と、
を備え、
前記復号化部が、前記送信装置の符号化処理と前記復号化部の復号化処理との間の同期を確立するための同期信号を符号化データとして前記送信装置から前記受信部が受け取ったときに、符号化処理と復号化処理との間の同期を確立するとともに、前記復号化部から出力されたデータに受信エラーが発生したことに伴い符号化処理と復号化処理との間の同期を再確立するための同期信号を符号化データとして前記送信装置から前記受信部が受け取ったときに、符号化処理と復号化処理との間の同期を一旦初期化して同期を再確立し、以降の復号化処理を行う、ことを特徴とする受信装置。
【請求項７】
前記受信装置において受信エラーが発生したことを検出して受信エラー検出信号を生成し、この受信エラー検出信号を送信する受信エラー検出部と、
前記受信エラー検出信号を受け取って、前記同期信号を符号化データとして前記送信部から前記受信装置へ送信させるリセット指示信号を生成し、このリセット指示信号を前記符号化部に送信するリセット指示部と、
を備える、ことを特徴とする請求項６記載の受信装置。
【請求項８】
前記受信装置において受信エラーが発生したことを検出して受信エラー検出信号を生成し、この受信エラー検出信号を送信する受信エラー検出部を備え、
この受信エラー検出信号を前記送信装置に送信する、
ことを特徴とする請求項６記載の受信装置。
【請求項９】
前記複合化部にて復号処理された元のデータを前記送信装置に送信する、
ことを特徴とする請求項６記載の受信装置。
【請求項１０】
前記リセット指示部が前記リセット指示信号として一定期間に亘ってレベルが繰返しトグルする信号を出力し、
前記送信装置から前記受信部が受け取ったデータのうちデータ区切り信号が一定期間に亘ってレベルが繰返しトグルする場合に、該期間におけるデータ区切り信号のレベルを該期間前の一定レベルに変換して当該変換後のデータ区切り信号を出力するデータ区切り信号復元部を更に備える、
ことを特徴とする請求項７記載の受信装置。
【請求項１１】
請求項２記載の送信装置と請求項７記載の受信装置とを備え、前記送信装置から前記受信装置へ前記符号化データを送るとともに、前記受信装置から前記送信装置へ前記リセット指示信号を送る、ことを特徴とする送受信システム。
【請求項１２】
請求項３記載の送信装置と請求項８記載の受信装置とを備え、前記送信装置から前記受信装置へ前記符号化データを送るとともに、前記受信装置から前記送信装置へ前記受信エラー検出信号を送る、ことを特徴とする送受信システム。
【請求項１３】
請求項４記載の送信装置と請求項９記載の受信装置とを備え、前記送信装置から前記受信装置へ前記符号化データを送るとともに、前記受信装置から前記送信装置へ復号処理後のデータを送る、ことを特徴とする送受信システム。
【請求項１４】
請求項５記載の送信装置と請求項１０記載の受信装置とを備え、前記送信装置から前記受信装置へ前記符号化データを送るとともに、前記受信装置から前記送信装置へ前記データ区切り信号を送る、ことを特徴とする送受信システム。
【発明の詳細な説明】
【技術分野】
【０００１】
本発明は、送信装置、受信装置および送受信システムに関するものである。
【背景技術】
【０００２】
近年、デジタル画像を扱うデジタル画像装置が増えている。デジタル画像装置としては、例えば、静止画像を撮像するデジタルスチルカメラ、動画像を撮像するデジタルビデオカメラ、デジタル画像を映し出すデジタルテレビ受像機、などのデジタル映像装置がある。これらのデジタル映像装置は、デジタル画像を電気的に表示するディスプレイを有している。
【０００３】
また、電気的に表示する装置だけでなく、紙等の媒体に対してデジタル画像を生成するプリンタ機能を有する画像生成装置が知られている。生成方式としては、インクジェット方式やレーザー方式などがある。近年では、プリンタ機能に加え、記録機能、ＦＡＸ機能、スキャナ機能等の複数の機能を有する「マルチファンクションプリンタ」と呼ばれる画像生成装置が普及している。このようなデジタル画像装置では、その装置内外で画像伝送を行う送受信システムを有している（特許文献１）。
【０００４】
画像伝送を行う送受信システムとしては、送信装置から受信装置へ符号化データを送信し該受信装置において該符号化データを復号化する方式が知られている。より詳細に説明すると、送受信システムでは、送信装置は、送信すべきデータを乱数により符号化して当該符号化データを送出する。送信装置から送信された符号化データを受信した受信装置は、その受信した符号化データを符号化時と同一の乱数により復号化して、元のデータを生成する。なお、「符号化」には、送受信データを秘匿するために該データを暗号化することが含まれ、また、送受信データに因るＥＭＩノイズを抑制するために該データをスクランブルすることも含まれる。
【０００５】
送信装置の符号化処理により生成された符号化データから受信装置の復号化処理により元のデータを正しく得るには、送信装置の符号化処理と受信装置の復号化処理との間の乱数の同期が確立されていなければならない（特許文献２）。
【先行技術文献】
【特許文献】
【０００６】
【特許文献１】特開２００７−０１３５５２号公報
【特許文献２】特開平９−１０７３４６号公報
【発明の概要】
【発明が解決しようとする課題】
【０００７】
送受信システムにおける符号化データは、ノイズ重畳等によって符号化データがデタラメなデータ列になってしまうと、乱数の同期が外れ、元のデータに復号化されない。このような同期外れに対しては、符号化データに対してコンマパターンと呼ばれる固定データをブランキングタイム等の無データ区間に挿入して乱数の再同期を行う、という手法が提案されている（例えば、“ＤｉｓｐｌａｙＰｏｒｔ”などではこれを定期的に行う）。したがって、過渡的なノイズ重畳等により符号化データの一部が破損されても、全てのデータが欠落される訳ではなく、次の符号化データの復号化時には、乱数の同期が再確立され、元のデータが再生される。
【０００８】
しかしながら、上述の様な手法であると、一旦、同期外れが発生してしまうと、次のコンマパターンによって再同期が行われるまでの間のデータが全て欠落されてしまう。このようなデータの欠落は、デジタル画像装置における画像の品質を劣化させる。例えば、デジタルビデオカメラ等の動画像を扱うデジタル映像装置においては、動画像に“ちらつき”が生じ、「マルチファンクションプリンタ」等の画像生成装置においては、プリンタ機能による画像等の生成やスキャナ機能による静止画像の取り込みにおける品質を劣化させる。近年におけるデジタル画像装置は、「マルチファンクションプリンタ」等にも見られるように高機能化及び多機能化が進みＥＭＩノイズもよりシビアなものとなっており、何らかの対策が求められる。このような課題に対しては、頻繁なコンマパターンの挿入などが考えられるが、固定パターンの頻繁な挿入はＥＭＩノイズの増大の要因となるため、好ましいものでない。また、引用文献２に提案された同期外れが発生したときのみ同期を再確立する手法を適用すると、確実にエラーが発生するまで待つというシステムとなってしまい、品質が重視される画像伝送においては好ましいものではない。
【０００９】
本発明は、上記問題点を解消する為になされたものであり、符号化処理と復号化処理との間の同期をより確実なものとして受信エラーを抑制することができる送信装置、受信装置および送受信システムを提供することを目的とする。
【課題を解決するための手段】
【００１０】
本発明の送受信システムは、以下のような送信装置と受信装置とを備え、送信装置から受信装置へ符号化データを送るとともに、送信装置が受信エラー発生時に同期信号を符号化データとして送信することを特徴とする。
【００１１】
本発明の送信装置は、(1)受信装置へ送信すべきデータを符号化することにより符号化データを生成する符号化部と、(2)符号化データを受信装置へ送信する送信部と、を備えることを特徴とする。さらに、符号化部が、符号化部の符号化処理と受信装置の復号化処理との間の同期を確立するための同期信号を符号化データとして定期的に送信部から受信装置へ送信させるとともに、受信装置において受信エラーが発生したとき符号化処理と復号化処理との同期を再確立するために同期信号を符号化データとして送信部から受信装置へ送信させる、ことを特徴とする。
【００１２】
本発明の受信装置は、(1)送信装置から送信された符号化データを受信する受信部と、(2)受信部により受信された符号化データを復号化して元のデータを出力する復号化部と、を備えることを特徴とする。さらに、復号化部が、送信装置の符号化処理と復号化部の復号化処理との間の同期を確立するための同期信号を符号化データとして送信装置から受信部が受け取ったときに、符号化処理と復号化処理との間の同期を確立するとともに、復号化部から出力されたデータに受信エラーが発生したことに伴い符号化処理と復号化処理との間の同期を再確立するための同期信号を符号化データとして送信装置から受信部が受け取ったときに、符号化処理と復号化処理との間の同期を一旦初期化して同期を再確立し、以降の復号化処理を行う、ことを特徴とする。
【００１３】
本発明の送信装置は、受信装置において受信エラーが発生したことを表す受信エラー検出信号を受信装置から受け取ったときに、符号化処理と復号化処理との同期を再確立するためのリセット指示信号を生成し、このリセット指示信号を符号化部に送信するリセット指示部を備え、符号化部が、リセット指示信号を受け取ったときに同期信号を符号化データとして送信部から受信装置へ送信させてもよい。また、本発明の受信装置は、受信装置において受信エラーが発生したことを検出して受信エラー検出信号を生成し、この受信エラー検出信号を送信する受信エラー検出部と、受信エラー検出信号を受け取って、同期信号を符号化データとして送信部から受信装置へ送信させるリセット指示信号を生成し、このリセット指示信号を符号化部に送信するリセット指示部と、を備えてもよい。
【発明の効果】
【００１４】
本発明によれば、符号化処理と復号化処理との間の同期をより確実なものとして、受信エラーを抑制することができる。
【図面の簡単な説明】
【００１５】
【図１】第１実施形態の送受信システム１Ａの構成を示す図である。
【図２】第１実施形態の送受信システム１Ａにおける各信号の波形例を示す図である。
【図３】第１実施形態の送受信システム１Ａの変形例の構成を示す図である。
【図４】第１実施形態の送受信システム１Ａの変形例の構成を示す図である。
【図５】第２実施形態の送受信システム１Ｂの構成を示す図である。
【図６】第２実施形態の送受信システム１Ｂにおける各信号の波形例を示す図である。
【発明を実施するための形態】
【００１６】
以下、添付図面を参照して、本発明を実施するための形態を詳細に説明する。なお、図面の説明において同一または同等の要素には同一の符号を付し、重複する説明を省略する。
【００１７】
（第１実施形態）
【００１８】
図１は、第１実施形態の送受信システム１Ａの構成を示す図である。送受信システム１Ａは、送信装置１０Ａおよび受信装置２０Ａを備える。送信装置１０Ａと受信装置２０Ａとは信号伝送路３１〜３３によりデータを送受信する。
【００１９】
送信装置１０Ａは、符号化部１１、シリアライザ１２および送信部１３を備える。符号化部１１は、受信装置２０Ａへ送信すべきデータをパラレルデータ形式で外部から入力し、そのデータを符号化して当該符号化データを出力する。シリアライザ１２は、符号化部１１から出力された符号化データ（パラレルデータ）をシリアルデータに変換して、このシリアルデータを送信部１３へ与える。送信部１３は、シリアライザ１２から入力された符号化データ（シリアルデータ）を差動データとして信号伝送路３１，３２へ送出する。
【００２０】
信号伝送路３１，３２は、送信装置１０Ａの送信部１３の差動出力端から送出された差動データを、受信装置２０Ａの受信部２３の差動入力端へ伝送する。送信装置１０Ａの送信部１３と信号伝送路３１，３２との間はＡＣカップリングされている。また、受信装置２０Ａの受信部２３と信号伝送路３１，３２との間もＡＣカップリングされている。
【００２１】
受信装置２０Ａは、復号化部２１、デシリアライザ２２、受信部２３、エラー検出部２４及びリセット指示部２５を備える。受信部２３は、送信装置１０Ａの送信部１３から送出され信号伝送路３１，３２を経て到達した符号化データ（差動シリアルデータ）を受信して、その符号化データをシングルエンドデータとして出力する。デシリアライザ２２は、受信部２３から出力された符号化データ（シリアルデータ）をパラレルデータに変換して、このパラレルデータを復号化部２１へ出力する。復号化部２１は、デシリアライザ２２から出力された符号化データを復号化して、元のデータを出力する。
【００２２】
なお、送信装置１０Ａから受信装置２０Ａへの信号伝送路は複数チャネルあってもよい。図１（および後に説明する図３〜５）では説明の簡便化のために１チャネル分の信号伝送路を示している。送信装置１０Ａから受信装置２０Ａへの信号伝送路が複数チャネルある場合、チャネルによって異なるデータを送信することができ、例えば、送信すべきデータがＲＧＢカラー画像データであれば、第１チャネルによりＲ画像データを送信し、第２チャネルによりＧ画像データを送信し、第３チャネルによりＢ画像データを送信することができる。また、例えば、後述する符号復号同期信号を或るチャネルにより送信し、他の制御信号（例えばＤＥ（Data Enable）信号）を他のチャネルにより送信することができる。
【００２３】
エラー検出部２４は、復号化部２１から出力されたデータに基づいて受信エラーの発生の有無を検出する。エラー検出部２４は、受信エラー発生を検出したときに、その旨を表す受信エラー検出信号を送出する。リセット指示部２５は受信エラー検出信号を受け取りリセット指示信号を信号伝送路３３へ送出する。信号伝送路３３は、受信装置２０Ａのリセット指示部２５から送出されたリセット指示信号を送信装置１０Ａの符号化部１１へ伝送する。
【００２４】
エラー検出部２４による受信エラー発生の検出は例えば以下のようにして行われる。有効データに冗長ビット（固定値またはチェックサム）を付加したものを符号化データとして送信装置１０Ａが受信装置２０Ａへ送信し、エラー検出部２４は、受信データのうち冗長ビットの内容に誤りがあるか否かを判定して、誤りがある場合に受信エラーが発生した旨を検出する。或いは、所定の固定データを符号化データとして送信装置１０Ａが受信装置２０Ａへ送信し、エラー検出部２４は、受信した固定データの内容に誤りがあるか否かを判定して、誤りがある場合に受信エラーが発生した旨を検出する。或いは又、８ｂ１０ｂ符号化処理を行った符号化データを送信装置１０Ａが受信装置２０Ａへ送信し、エラー検出部２４は、受信データの内容に８ｂ１０ｂ符号化規約に反するような誤りがあるか否かを判定して、誤りがある場合に受信エラーが発生した旨を検出する。なお、復号化部２１は、エラー検出部２４が受信エラーの発生を検出したことに伴い、同期が再確立されるまでの間、そのエラーを起こした信号に代わって予め用意した値を出力してもよい（例えば、画像伝送ならば、エラーが発生した画素を白又は黒になるような値で出力してもよい）。
【００２５】
送信装置１０Ａの符号化部１１は、符号化部１１の符号化処理と復号化部２１の復号化処理との間の同期を確立するための同期信号（以下「符号復号同期信号」という。）を符号化データとして定期的に送信部１３から受信装置２０Ａへ送信させる。また、符号化部１１は、受信装置２０Ａにおいて受信エラーが発生したことに伴い生成されたリセット指示信号を受信装置２０Ａのリセット指示部２５から受け取ったときにも、符号復号同期信号を符号化データとして送信部１３から受信装置２０Ａへ送信させる。
【００２６】
なお、送信装置１０Ａから受信装置２０Ａへ符号復号同期データを定期的に送信するタイミングは、例えば送受信すべき有効データが画像データである場合には水平同期ブランキング期間または垂直同期ブランキング期間とされる。
【００２７】
受信装置２０Ａの復号化部２１は、符号復号同期信号を符号化データとして送信装置１０Ａから受信部２３が受け取ったときに、符号化処理に対する復号化処理の同期を一旦初期化して同期を再確立し、以降の復号化処理を行う。
【００２８】
送信装置１０Ａの符号化部１１が行う符号化処理は、データ秘匿のための暗号化処理であってもよいし、ＥＭＩノイズ抑制のためのスクランブル処理であってもよい。符号化部１１の符号化処理と復号化部２１の復号化処理との間の同期が確立されている状態にあるとき、符号化部１１の符号化処理において元データを符号化データに変換する際に用いる符号用内部保持データと、復号化部２１の復号化処理において該符号化データを元データに変換する際に用いる復号用内部保持データとは、互いに同じである。暗号化処理やスクランブル処理の場合には、送受信すべき或る元データと次の元データとの間で、用いる符号用内部保持データおよび復号用内部保持データが異なる。
【００２９】
例えば、符号化部１１が符号化処理としてスクランブル処理をするとともに復号化部２１が復号化処理としてデスクランブル処理をする場合、送受信すべき元データが一定値のまま複数バイト続くときであっても、符号用内部保持データが順次に変化していくので、スクランブル処理により得られる符号化データも順次に変化していく。これによりＥＭＩノイズ抑制効果が得られる。復号化部２１は、符号化部１１がスクランブル処理の際に用いた符号用内部保持データと同じ復号用内部保持データを用いて符号化データをデスクランブル処理することで元データを得ることができる。
【００３０】
送信装置１０Ａの符号化部１１は、スクランブル処理後の符号化データに対して更に８ｂ１０ｂ符号化処理を行ってもよい。このとき、受信装置２０Ａの復号化部２１は、８ｂ１０ｂ復号化処理を行った後にデスクランブル処理を行う。
【００３１】
図２は、第１実施形態の送受信システム１Ａにおける各信号の波形例を示す図である。同図には、(a) 送信装置１０Ａに入力される元データ（パラレルデータ）、(b) 送信装置１０Ａから受信装置２０Ａへ送られる符号化データ（シリアルデータ）、(c) 受信装置２０Ａから出力される元データ（パラレルデータ）、(d) 受信装置２０Ａのエラー検出部２４から出力される受信エラー検出信号、および、(e) 受信装置２０Ａのリセット指示部２５から出力されるリセット指示信号、それぞれの波形が示されている。
【００３２】
信号伝送路３１，３２の伝送品質劣化や外部ノイズの影響により、送信装置１０Ａから受信装置２０Ａへ送られる符号化データが化けた場合、受信装置２０Ａの復号化部２１の復号化処理で得られたデータは、元データとは異なった無効データとなる。エラー検出部２４は、受信エラー発生を検出すると受信エラー検出信号を出力する。また、リセット指示部２５は、受信エラー検出信号が入力されることにより、リセット指示信号を出力する。そのリセット指示信号を受けた送信装置１０Ａは、符号復号同期信号を出力する。そして、受信装置２０Ａの復号化部２１は、送信装置１０Ａから符号復号同期信号を受け取ると、符号化処理と復号化処理との間の同期を一旦初期化して同期を再確立し、以降の復号化処理を行う。同期が再確立すると、復号化部２１の復号化処理で得られたデータは、元データと同じものとなる。
【００３３】
以上のように、本実施形態の送受信システム１Ａは、エラー検出部２４が受信エラー発生を検出したときだけでなく定期的にも、送信装置１０Ａから受信装置２０Ａへ符号復号同期信号を送って、受信装置２０Ａの復号化部２１において復号化処理の同期を一旦初期化して同期を再確立し、以降の復号化処理を行う。したがって、同期外れにより受信エラーが発生したときに、定期的な符号復号同期信号の送受信のタイミングを待つことなく、符号化処理と復号化処理との間の同期を再確立することができる。また、同期外れにより受信エラーが生じているにも拘わらずなんらかの理由で受信エラー発生が検知されない場合であっても、定期的な符号復号同期信号の送受信により、符号化処理と復号化処理との間の同期を再確立することができる。このように、本実施形態では、符号化処理と復号化処理との間の同期をより確実なものとして、受信エラーを抑制することができる。
【００３４】
また、本実施形態に示す送受信システム１Ａでは、図３に示すように受信装置２０Ａがエラー検出部２４を有して送信装置１０Ａがリセット指示部１５を有する構成にしてもよいし、図４に示すように送信装置１０Ａがエラー検出部１４及びリセット指示部１５を有する構成にしてもよい。エラー検出部１４（２４）とリセット指示部１５（２５）を送信装置１０Ａが有するか受信装置２０Ａが有するかは適応するシステムに応じて適宜変更可能である。図１に示すような送受信システム１Ａでは、エラー検出が受信側で最も速やかに検出されるため、エラーを含むデータの扱いにつき、下流へ流すデータに処理を施し後段で問題を起こさぬように対策を行う事が可能となる。また、図３に示すような送受信システム１Ａであれば、エラー検出信号が低速の信号で受渡しが可能となるため伝送路３３が安価なもので実現可能となる。さらに、図４に示すような送受信システム１Ａでは、送信装置１０Ａのみの実装変更で受信エラーを抑制可能となるため受信装置２０Ａが既存のものであってもシステムを実現することが可能となる。なお、エラー検出部１４及び２４、リセット指示部１５及び２５は、それぞれ同様な機能を有しているため、こではその動作の説明を省略する。
【００３５】
（第２実施形態）
【００３６】
図５は、第２実施形態の送受信システム１Ｂの構成を示す図である。送受信システム１Ｂは、送信装置１０Ｂおよび受信装置２０Ｂを備える。送信装置１０Ｂと受信装置２０Ｂとは信号伝送路３１〜３３によりデータを送受信する。
【００３７】
本実施形態の送受信システム１Ｂは、例えば有効画像データに加えて水平同期データおよび垂直同期データを送受信する場合のように、送信装置１０Ｂから受信装置２０Ｂへ同期信号を初期化するタイミングを与えるデータ区切り信号をも送信するものである。このデータ区切り信号は、トグルした瞬間に同期信号の乱数を初期値にするための信号であり、本実施形態では、立ち上がりエッヂのときに同期信号の乱数を初期値にする。本実施形態の送受信システム１Ｂは、送信装置１０Ｂと受信装置２０Ｂとの間でリセット指示信号および符号復号同期信号を送受信する際に、このデータ区切り信号を利用する。第１実施形態における送信装置１０Ａの構成と比較すると、第２実施形態における送信装置１０Ｂは、データ区切り信号修正部１６を更に備える点で相違し、また、符号化部１１の動作の点で相違する。
【００３８】
受信装置２０Ｂは、復号化部２１、デシリアライザ２２、受信部２３、エラー検出部２４、リセット指示部２５およびデータ区切り信号復元部２６を備える。第１実施形態における受信装置２０Ａの構成と比較すると、第２実施形態における受信装置２０Ｂは、データ区切り信号復元部２６を更に備える点で相違し、また、リセット指示部２５の動作の点で相違する。
【００３９】
受信装置２０Ｂのリセット指示部２５は、リセット指示信号として一定期間に亘ってレベルが繰返しトグルする信号を信号伝送路３３へ出力する。
【００４０】
送信装置１０Ｂのデータ区切り信号修正部１６は、受信装置２０Ｂのリセット指示部２４からリセット指示信号として一定期間に亘ってレベルが繰返しトグルする信号を受け取り、このリセット指示信号のレベルに応じて本来のデータ区切り信号のレベルを修正して、当該修正後データ区切り信号を符号化部１１へ出力する。データ区切り信号修正部１６は、例えば、リセット指示信号と本来のデータ区切り信号とを入力して、両信号のＥＸＮＯＲ論理演算結果として修正後データ区切り信号を出力するＥＸＮＯＲ回路により構成される。
【００４１】
送信装置１０Ｂの符号化部１１は、データ区切り信号修正部１６から修正後データ区切り信号を受け取ったときに、符号復号同期信号を符号化データとして送信部１３から受信装置２０Ｂへ送信させるとともに、修正後データ区切り信号をも符号化データとして送信部１３から受信装置２０Ｂへ送信させる。
【００４２】
受信装置２０Ｂのデータ区切り信号復元部２６は、送信装置１０Ｂから受信部２３が受け取ったデータのうちデータ区切り信号が一定期間に亘ってレベルが繰返しトグルする場合（すなわち修正後データ区切り信号に変換されていた場合）に、該期間におけるデータ区切り信号のレベルを該期間前の一定レベルに変換（すなわち本来のデータ区切り信号に変換）して、当該変換後のデータ区切り信号を出力する。
【００４３】
図６は、第２実施形態の送受信システム１Ｂにおける各信号の波形例を示す図である。同図には、(a) 受信装置２０Ｂが受信するデータ、(b) 送信装置１０Ｂに入力される本来のデータ区切り信号、(c) 受信装置２０Ｂのリセット指示部２５から出力されるリセット指示信号、(d) 受信装置２０Ｂのデータ区切り信号復元部２６が内部で保持しているエラーフラッグ、(e) 受信装置２０Ｂのデータ区切り信号復元部２６に入力されるリセット指示信号を含む修正後データ区切り信号、および、(f) 受信装置２０Ｂのデータ区切り信号復元部２６から出力される本来のデータ区切り信号、それぞれの波形が示されている。
【００４４】
同図に示される例では、送信装置１０Ｂから受信装置２０Ｂへ送信されているデータが有効データであり、送信装置１０Ｂに入力される本来のデータ区切り信号はその立ち上がりタイミングで同期信号を初期化させたのちハイレベルとなっている（同図（ｂ））。信号伝送路３１，３２の伝送品質劣化や外部ノイズの影響により、送信装置１０Ｂから受信装置２０Ｂへ送られる符号化データが化けた場合、受信装置２０Ｂのエラー検出部２４が受信エラー発生を検出し、リセット指示部２５が一定期間に亘ってレベルが繰返しトグルするリセット指示信号を出力する（同図（ｃ））。また、データ区切り信号復元部２６は、この受信エラー検出を受けたときから所定期間に亘り、内部で保持するエラーフラッグを立てる（同図（ｄ））。
【００４５】
送信装置１０Ｂのデータ区切り信号修正部１６は、受信装置２０Ｂのリセット指示部２５から出力されたリセット指示信号を受けると、このリセット指示信号のレベルに応じて本来のデータ区切り信号のレベルを修正して、当該修正後データ区切り信号を出力する。受信装置２０Ｂのデータ区切り信号復元部２６に入力されるデータ区切り信号は、信号伝送路３１，３２の伝送品質劣化や外部ノイズの影響によりレベルが変化するが、その後、一定期間に亘ってレベルが繰返しトグルする修正後データ区切り信号となる（同図（ｅ））。このとき、データ区切り信号復元部２６は、内部で保持するエラーフラッグが立っているので、修正後データ区切り信号を本来のデータ区切り信号に変換して、当該変換後のデータ区切り信号を出力する（同図（ｆ））。
【００４６】
なお、データ区切り信号復元部２６は、エラーフラッグを用いることなく、或る期間より短い期間に亘ってトグルする成分を除去することで、修正後データ区切り信号を本来のデータ区切り信号に変換してもよい。
【００４７】
また、受信装置２０Ｂの復号化部２１は、送信装置１０Ｂから修正後データ区切り信号とともに符号復号同期信号を受け取り、符号化処理と復号化処理との間の同期を一旦初期化して同期を再確立し、以降の復号化処理を行う。同期が再確立すると、復号化部２１の復号化処理で得られたデータは、元データと同じものとなる。
【００４８】
第２実施形態の送受信システム１Ｂは、第１実施形態の送受信システム１Ａと同様の効果を奏することができる。
【符号の説明】
【００４９】
１Ａ，１Ｂ…送受信システム、１０Ａ，１０Ｂ…送信装置、１１…符号化部、１２…シリアライザ、１３…送信部、１４…エラー検出部、１５…リセット指示部、１６…データ区切り信号修正部、２０Ａ，２０Ｂ…受信装置、２１…復号化部、２２…デシリアライザ、２３…受信部、２４…エラー検出部、２５…リセット指示部、２６…データ区切り信号復元部、３１〜３３…信号伝送路。
【図１】
2013046364.tif 000003
【図２】
2013046364.tif 000004
【図３】
2013046364.tif 000005
【図４】
2013046364.tif 000006
【図５】
2013046364.tif 000007
【図６】
2013046364.tif 000008